(57)【要約】      （修正有）【課題】旅行者が携帯端末を用いて土産物を購入するのを支援するシステムを提供する。【解決手段】ネットワーク上のサイトのアドレス情報を格納する無線ＩＣタグ１と、ＩＣタグ読取機能付き携帯端末２と、サーバコンピュータ３とからなり、サーバコンピュータは、無線ＩＣタグに格納されたアドレス情報に基づいて携帯端末がアクセスするのに答えて、携帯端末に当該地方の土産物を紹介する土産物紹介装置と、旅行者が携帯端末を用いて土産物を選択し注文するのに答えて、その注文を受け付ける土産物注文受付装置とにより、土産物購入システムを構成する。【選択図】図１
0003149593.tif 000002
【実用新案登録請求の範囲】
【請求項１】
旅行者が所持する携帯端末を用いて、ネットワーク上の土産物購入サイトにアクセスして土産物を購入するのを支援する土産物購入システムであって、
旅行関連サービスの提供の用に供する物に付着させた、ネットワーク上のサイトのアドレス情報を格納する無線ＩＣタグと、
該無線ＩＣタグと通信して前記アドレス情報を読み取り、前記土産物購入サイトにアクセスするＩＣタグ読取機能付き携帯端末と、
該ＩＣタグ読み取り機能付き携帯端末が、携帯電話基地局及びコンピュータネットワークを介して、アクセスするサーバコンピュータと
からなり、
前記サーバコンピュータは、
前記無線ＩＣタグに格納されたアドレス情報に基づいて前記携帯端末がアクセスするのに答えて、前記携帯端末に当該地方の土産物を紹介する土産物紹介装置と、
該土産物紹介装置が紹介する情報に基づいて、前記旅行者が前記携帯端末を用いて土産物を選択し注文するのに答えて、その注文を受け付ける土産物注文受付装置と
を有することを特徴とする土産物購入システム。
【請求項２】
請求項１に記載した土産物購入システムであって、
前記ＩＣタグ読取機能付き携帯端末は、ＩＣタグ読取機能を持った携帯電話であることを特徴とする土産物購入システム。
【請求項３】
請求項１に記載した土産物購入システムであって、
前記ＩＣタグ読取機能付き携帯端末は、ＩＣタグリーダと携帯電話とで構成され、前記ＩＣタグリーダは、前記携帯電話との間で通信を実現することを特徴とする土産物購入システム。
【請求項４】
請求項１に記載した土産物購入システムであって、
前記無線ＩＣタグは、ネットワーク上のサイトのアドレス情報に加えて、さらに当該無線ＩＣタグを識別する識別情報を持っており、
前記ＩＣタグ読取機能付き携帯端末は、前記無線ＩＣタグの有する識別情報をも前記サーバコンピュータに送信し、
前記土産物紹介装置は、前記無線ＩＣタグの近くの土産物に関する情報を表示することを特徴とする土産物購入システム。
【請求項５】
請求項４に記載した土産物購入システムであって、
前記サーバコンピュータは、交通機関の運行情報を検索する運行情報検索装置をさらに有しており、
前記無線ＩＣタグが移動物に付着しているものである場合に、前記運行情報検索装置の検索結果に基づいて、当該無線ＩＣタグの位置を割り出してその近くの土産物に関する情報を表示することを特徴とする土産物購入システム。
【請求項６】
請求項４に記載した土産物購入システムであって、
前記サーバコンピュータは、携帯電話の基地局の位置を割り出す携帯電話基地局検索装置をさらに有しており、
前記無線ＩＣタグが移動物に付着しているものである場合に、前記携帯電話基地局検索装置の検索結果に基づいて、当該無線ＩＣタグの位置を割り出してその近くの土産物に関する情報を表示することを特徴とする土産物購入システム。
【考案の詳細な説明】
【技術分野】
【０００１】
本考案は、旅行者が自ら所持する携帯端末を用いて、土産物（みやげもの）を購入することを支援するシステムに関する。
【背景技術】
【０００２】
特許文献１には、インターネットを利用した列車の乗車券、旅行用品、旅行中の食事、土産など旅行に関する手配システムが開示されている。旅行者の自宅の端末からアクセスして、必要な個人認証を経て乗車券などの購入、乗り物の予約、配送の予約などを実現するものである。
【０００３】
特許文献２には、土産物をインターネット上で検索・注文する受注発注システムが開示されている。土産物販売会社のサイトと旅行情報提供会社のサイトとの間のリンクの形成を促進させるものである。
【０００４】
特許文献３には、乗車券に記載されている交通経路にしたがって、観光案内や土産物案内をする情報出力装置が開示されている。プリンタを備えて紙に印刷出力可能なものである。
【０００５】
特許文献４には、お遍路者に対してＩＣタグを封入したお守りを発行し、寺院にＩＣタグリーダ・ライタを設置して、お遍路者の移動行程をデータベース登録し、お遍路者の留守宅の端末に配信する移動行程管理システムが開示されている。
【０００６】
特許文献５には、スキー場内のレストランや土産物屋に適用する施設利用管理システムが開示されている。リフト券に埋め込まれたＲＦＩＤタグに記録されている利用者情報を読み取って、利用済みフラグに基づいて昼食の提供やお土産の販売をするものである。
【０００７】
特許文献６には、お土産品の受注・配送に関するビジネスモデルが開示されている。複数の店舗を予め管理部に登録しておき、ホテルのロビー等に受注コーナーを設けて、受注・配送するものである。
【０００８】
特許文献７には、出張のスケジュールに連携して予算やその他の選択条件に適合した土産品を自動的に決定することができるとともに、その土産品の購入先の情報を提供して土産品の調達を支援する出張スケジュール連携土産品購入支援システムが開示されている。
【先行技術文献】
【特許文献】
【０００９】
【特許文献１】特開２００２−０３２７９２号公報
【特許文献２】特開２００２−０９９７６６号公報
【特許文献３】特開２００３−１０８６３３号公報
【特許文献４】特開２００６−０７２４５９号公報
【特許文献５】特開２００６−１８５１４２号公報
【特許文献６】特開２００６−１９５８５５号公報
【特許文献７】特開２００８−２５０６３４号公報
【考案の開示】
【考案が解決しようとする課題】
【００１０】
土産物を旅行の途中に実際に店で購入するとなると、旅行の際に立ち寄ることが可能な店で入手可能なものに限られる。また、旅先での所用の有無との関係で、手荷物が増えてもかまわない段階でのみ土産物の購入をすることになる。
【００１１】
一方、旅行のスケジュールにおいては、ホテルの部屋でくつろいでいるときや、新幹線の座席に座っているときなど、比較的暇な時間帯がある。新幹線における車内販売でお土産を購入することも考えられるが、数と種類に限りがある。また、混雑時にはカートの動きが限られるから、ごくわずかの乗客しか利用できない。本考案の考案者は、旅行における比較的暇な時間帯、くつろいでいる時間帯を利用して、土産物をじっくりと選定し、購入することを支援するシステムがあればよいと考えた。
【００１２】
本考案の考案者は、ＩＣタグを利用することでその目的を達することができると気づいた。本考案の目的は、旅行者が土産物を購入するのを支援するシステムを提供することにある。
【課題を解決するための手段】
【００１３】
上記課題を解決するために、請求項１に記載した考案は旅行者が所持する携帯端末を用いて、ネットワーク上の土産物購入サイトにアクセスして土産物を購入するのを支援する土産物購入システムであって、旅行関連サービスの提供の用に供する物に付着させた、ネットワーク上のサイトのアドレス情報を格納する無線ＩＣタグと、該無線ＩＣタグと通信して前記アドレス情報を読み取り、前記土産物購入サイトにアクセスするＩＣタグ読取機能付き携帯端末と、該ＩＣタグ読み取り機能付き携帯端末が、携帯電話基地局及びコンピュータネットワークを介して、アクセスするサーバコンピュータとからなり、前記サーバコンピュータは、前記無線ＩＣタグに格納されたアドレス情報に基づいて前記携帯端末がアクセスするのに答えて、前記携帯端末に当該地方の土産物を紹介する土産物紹介装置と、該土産物紹介装置が紹介する情報に基づいて、前記旅行者が前記携帯端末を用いて土産物を選択し注文するのに答えて、その注文を受け付ける土産物注文受付装置とを有することを特徴とするものである。
【００１４】
請求項２に記載した考案は、請求項１に記載した土産物購入システムであって、前記ＩＣタグ読取機能付き携帯端末は、ＩＣタグ読取機能を持った携帯電話であることを特徴とするものである。
【００１５】
請求項３に記載した考案は、請求項１に記載した土産物購入システムであって、前記ＩＣタグ読取機能付き携帯端末は、ＩＣタグリーダと携帯電話とで構成され、前記ＩＣタグリーダは、前記携帯電話との間で通信を実現することを特徴とするものである。
【００１６】
請求項４に記載した考案は、請求項１に記載した土産物購入システムであって、前記無線ＩＣタグは、ネットワーク上のサイトのアドレス情報に加えて、さらに当該無線ＩＣタグを識別する識別情報を持っており、前記ＩＣタグ読取機能付き携帯端末は、前記無線ＩＣタグの有する識別情報をも前記サーバコンピュータに送信し、前記土産物紹介装置は、前記無線ＩＣタグの近くの土産物に関する情報を表示することを特徴とするものである。
【００１７】
請求項５に記載した考案は、請求項４に記載した土産物購入システムであって、前記サーバコンピュータは、交通機関の運行情報を検索する運行情報検索装置をさらに有しており、前記無線ＩＣタグが移動物に付着しているものである場合に、前記運行情報検索装置の検索結果に基づいて、当該無線ＩＣタグの位置を割り出してその近くの土産物に関する情報を表示することを特徴とするものである。
【００１８】
請求項６に記載した考案は、請求項４に記載した土産物購入システムであって、
前記サーバコンピュータは、携帯電話の基地局の位置を割り出す携帯電話基地局検索装置をさらに有しており、
前記無線ＩＣタグが移動物に付着しているものである場合に、前記携帯電話基地局検索装置の検索結果に基づいて、当該無線ＩＣタグの位置を割り出してその近くの土産物に関する情報を表示することを特徴とするものである。
【考案の効果】
【００１９】
本考案の土産物購入システムにより、ホテルの部屋で旅行者がくつろいでいるときであっても、旅行者が列車などで移動している最中であっても、土産物の購入が可能となる。
【００２０】
特に、旅行者の用いる携帯端末を、ＩＣタグ読取機能付き携帯電話とすることにより、より身近な利用が可能となる。
【００２１】
ＩＣタグリーダを独立の機器として構成し、必要なときに携帯電話との間で通信することで、不要なときにはＩＣタグリーダをしまっておくことができる。
【００２２】
無線ＩＣタグに個別の識別情報を持たせることで、その位置を特定でき、当該個所に近い場所の土産物を紹介することが可能となる。
【００２３】
ＩＣタグが移動物に付着している場合には、交通機関の運行情報を検索すること、または、携帯電話の基地局を検索することで当該個所に近い場所の土産物を紹介することができる。
【図面の簡単な説明】
【００２４】
【図１】本発明に係る土産物購入システムの模式図である。
【図２】無線ＩＣタグの構成を示す模式平面図である。
【図３】サーバコンピュータ３から携帯電話２に対して提供される土産物検索画面の例を示す図である。
【図４】サーバコンピュータ３の構成を示す機能ブロック図である。
【図５】タグ位置ＤＢに格納されたデータの構造を示す説明図である。
【図６】基地局ＤＢに格納されたデータの構造を示す説明図である。
【図７】土産物ＤＢに格納されたデータの構造を示す説明図である。
【図８】土産物購入システムのフローの流れの概要を示す図である。
【考案を実施するための形態】
【００２５】
以下、本考案を適用した実施形態について説明する。
図１は、本発明に係る土産物購入システムの模式図である。土産物購入システムは、図１に示すように、無線ＩＣタグ１と、ＩＣタグ読取機能付き携帯電話２と、携帯電話基地局３０１・コンピュータネットワーク３００を介して携帯電話２からアクセス可能なサーバコンピュータ３とを有する。ここで、携帯電話は、コンピュータネットワーク３００に対してアクセス可能な携帯端末（携帯通信端末）の一例である。携帯電話の代わりにＰＤＡ、電子手帳、ノートパソコンなどで、無線通信などでインターネットにアクセスできるものであってもよい。また、コンピュータネットワーク３００は、例えばインターネットである。インターネット以外のコンピュータネットワークであってもかまわない。
【００２６】
無線ＩＣタグ１は、列車１００の座席に乗客が座る際に見やすい位置に置かれた観光案内１０１に付着され得る。また、ホテル２００の客室やロビーなどに置かれた宿泊案内２０１に付着され得る。一般に旅行関連サービスの提供の用に供する物に付着させて用いる。列車は移動するもの乗り物の例であり、ホテルは固定されたものの例である。
【００２７】
無線ＩＣタグ１には、少なくともサーバコンピュータ３にアクセスするためのアクセス情報が格納されている。さらに、個々の無線ＩＣタグを識別するための識別情報をも格納することもできる。サーバコンピュータ３に無線ＩＣタグ１の識別情報を送ることにより、サーバコンピュータ３側では、いずれの場所からアクセスしたかを知ることができる。
【００２８】
携帯電話２は、ＩＣタグ読取機能付きのものである。その筐体内にＩＣタグリーダに必要な回路を含んだものであってもよいし、ＩＣタグリーダを外部の周辺機器として有して、例えばＢｌｕｅｔｏｏｔｈ（登録商標）通信にて携帯電話２とＩＣタグリーダとをペアリングさせて用いるものであってもよい。
【００２９】
サーバコンピュータ３は、図１においては、ネットワーク３００に直接接続された１台のコンピュータであるかのように描かれているが、数台のサーバコンピュータが連携して機能するように構成するのが望ましい。例えば、ファイアウォール機能を担当するサーバ、Ｗｅｂサーバ、メールサーバ、ＩＣタグの識別番号を検索するサーバ、基地局探索機能を受け持つサーバ、商品紹介を受け持つサーバ、注文受付を担当するサーバ、決済処理を受け持つサーバ、配送処理を受け持つサーバといくつかの作業を分担することができる。また、一つのサーバで複数の処理を併せ持つこともできる。請求項及び解決手段において、○○装置と記載したのは、サーバコンピュータが必要なプログラムを読み込んで実行する際にそのＣＰＵの働きに着目してそのように呼んだものである。
【００３０】
ＩＣタグ読取機能付き携帯電話２を無線ＩＣタグ１にかざして、無線ＩＣタグ１に格納された情報に基づいてインターネットにアクセスすると、サーバコンピュータ３にアクセスすることが可能となる。そして、そのとき無線ＩＣタグの識別情報をも必要に応じて、サーバ側に通知することができる。
【００３１】
図２は、無線ＩＣタグの構成を示す模式平面図である。無線ＩＣタグ１は、サーバ３へのアクセス情報を格納する無線ＩＣタグ部分１１と、ロゴマーク、商標などの記載がされたロゴ表示部分１２とからなる。無線ＩＣタグ１に格納する情報は、アクセス情報以外に、当該無線ＩＣタグを識別する識別情報、問い合わせのためのメールアドレス情報などを含むのが望ましい。識別情報が格納されていると、それをサーバ側に送ることでそのＩＣタグが付着している場所を検索して、それに近い産地の土産物を紹介することが可能になる。また、メールアドレス情報があると、それに基づいて土産物を扱う業者に対する問い合わせを当該旅行者がすることができる。
【００３２】
携帯電話２は、例えば、数値、文字などを入力するための入力キー２２ａ及び入力操作のためのポインタ２２ｂを有する操作部２２と、表示部２３とからなる。通常の画像受信機能に加え、「携帯電話・移動体端末向けの１セグメント部分受信サービス」（以下、ワンセグと略す）を受信可能であるものがさらに望ましい。土産物の画像や説明映像をワンセグ用の画像として受けることでよりその土産物についての理解が深まる。
【００３３】
無線ＩＣタグ１にＩＣタグ読取機能付き携帯電話２のＩＣタグリーダ部分をかざして、必要な情報を読み取ってＷｅｂにアクセスすると、図２のような画面が携帯電話２の表示部２３に表示される。この表示は、Ｗｅｂページとして表示することもできるし、旅行者が問い合わせた電子メールに対する返信としてアクセス情報を載せた電子メールで提供されるものであってもよい。ここでは、ここ一週間のその土地の土産物ランキングベスト３が表示されている。商品の説明、日持ち情報（消費期限、賞味期限など）、在庫情報（即日発送可能か否か）などがともに表示されている。アクセスした旅行者がさらなる詳しい情報にアクセスするには、所定の場所をポインタ２２ｂを用いてクリックして、画像や、ワンセグ映像、価格、決済方法、配送方法などを知る。
【００３４】
人気のある土産物ベスト３の中にその旅行者の欲しいものがない場合には、Ｗｅｂサーバの機能により、検索をかける。
【００３５】
図３は、サーバコンピュータ３から携帯電話２に対して提供される土産物検索画面の例を示す図である。図３（ａ）は、産地検索の画面である。本システムを介して販売できる土産物はデータベース登録がされており、その産地の位置情報（経度、緯度の情報）をこのシステムでは利用可能になっている。旅行した経路からあまりに遠い産地の土産では不自然であると考える旅行者は、産地検索をかけて土産物を選定する。産地検索では地名（駅名）とキロ数を入力して検索するモードと、現在地（そのＩＣタグ又は携帯端末が現在存在する場所）からの距離を入力して検索するモードとの二つから旅行者が選択して検索をかける。モードの選択には丸印（ラジオボタン）に携帯電話のポインタ２２ｂを用いてチェックを入れた上で、キロ数などの入力をして検索することで、その結果が図２と同様な形で表示される。
【００３６】
図３（ｂ）は、発送予定日検索画面の例を示す図である。本システムが利用可能なデータベースには、出店する土産物業者が配送可能な品物の在庫情報を登録しておくことにより、発送予定日検索が可能である。即日発送、明日発送、明後日発送、などのラジオボタンにチェックを入れて検索をかけることでその結果が表示され、購入可能となる。
【００３７】
図３（ｃ）は、日持ち検索画面の例を示す図である。本システムが利用可能なデータベースには、土産物の日持ち情報が登録されており、旅行者は土産物を受け取る人の事情を考慮して日持ち情報（賞味期限、消費期限などの情報を含む）を検索して土産物を選定できる。
【００３８】
図３（ｄ）は、決済方法検索画面の例を示す図である。本システムでは、いわゆる通信販売の手法で土産物を購入することになる。したがって、決済方法をクレジットカード、コンビニ決済、銀行振り込み、電子マネー、代引き（代引き配送）などのうちから選択することになるが、その土産物を扱う業者がそれらの決済方法のすべてに対応しているとは限らないから、個々の土産物によっては、対応できる決済方法とそうでないものとがある。そこで、その旅行者がこの旅行において使用できる決済方法を選択して、それに対応できる土産物を選定する。
【００３９】
旅行者が土産物を選定した後、決済し、配送するまでの手法は、通常のインターネット通販の手法に従う。
【００４０】
なお、図３（ａ）の現在地の位置を求めるには、無線ＩＣタグ１が固定物に付着されている場合には、その識別情報から付着場所のテーブルを参照して、求める。移動物に付着されている場合には、さらに交通機関の運行情報、列車ダイヤグラム、遅延情報を参照して求める。また、携帯電話の基地局情報（いずれの基地局を介して通信をしているか）が利用できる場合には、それを利用する。
【００４１】
図４は、サーバコンピュータ３の構成を示す機能ブロック図である。前述したようにサーバコンピュータ３は、複数台のコンピュータを連携させて働かせることができる。例えば、５台のサーバコンピュータを連携させて働かせる場合、１台目に通信部３０及びファイアウォール３１、２台目にＷｅｂサーバ３２及びメールサーバ３３、３台目に無線ＩＣタグ位置探索装置３４及び携帯電話基地局探索装置３５、４台目に土産物紹介装置３６及び土産物注文受付装置３７、５台目に決済処理装置３８及び配送処理装置３９を分担処理させることができる。
【００４２】
また、決済処理装置３８及び配送処理装置３９は、個々の土産物をそれぞれ扱う業者の端末コンピュータ（図示せず）に分担させることも可能である。
【００４３】
ここで、ファイアウォール３１は、外部からのクラッキングなどの攻撃から内部のネットワークを防御するコンピュータである。Ｗｅｂサーバ３２は、旅行者が携帯端末からアクセスするのに答えてＷｅｂページや画像をその携帯端末が読める形式で返して提供するコンピュータである。メールサーバ３３は、旅行者が携帯端末から問い合わせメールを送る場合にそれに答えて自動返信して、申込みフォームや土産物紹介ページへのアクセス情報を送ったりするコンピュータである。
【００４４】
無線ＩＣタグ位置探索装置３４は、旅行者がその所持する携帯端末をかざして読み取った無線ＩＣタグの識別情報に基づいて、その無線ＩＣタグの付着された場所を探索するコンピュータである。前述したように、識別情報を頼りに登録された場所の住所情報、そしてそれに対応する経度、緯度情報などを探索することで、旅行者の旅行した場所に近い産物を土産物として選定するために用いられる。
【００４５】
携帯電話基地局探索装置３５は、旅行者が携帯電話でアクセスする際に、用いる基地局がいずれであるかの情報を用いることができるときそれを利用してその場所に近い産物を土産物として選定するために用いるコンピュータである。
【００４６】
土産物紹介装置３６は、旅行者が携帯電話でアクセスした際に、その旅行者が購入可能な土産物を表示するコンピュータである。図２及び図３を参照しつつ説明したように、旅行者が最初にアクセスした画面では、その土地の人気ある土産物をいくつか表示する。そして、旅行者がそれ以外の情報を欲する場合には、いくつかの検索条件が用意されており、それにしたがって検索し、その結果を表示する。個々の商品についての詳細情報のリンクも貼られており、旅行者は気に入った商品を買い物カゴに入れることができる。
【００４７】
土産物注文受付装置３７は、旅行者が土産物を注文するのを受け付けるコンピュータである。決済処理装置３８は旅行者の選択した決済方法にしたがって、決済処理を実行するコンピュータである。配送処理装置３９は、配送先までの配送処理を実行するコンピュータである。前述したように、購入する土産物が決定した後の処理は、一般的なインターネットショッピングと同様になされる。
【００４８】
図５は、タグ位置ＤＢに格納されたデータの構造を示す説明図である。無線ＩＣタグの識別番号、管理者情報、付着場所住所、緯度、経度などの情報が検索可能に管理されている。
【００４９】
図６は、基地局ＤＢに格納されたデータの構造を示す説明図である。携帯電話会社（キャリア）情報、基地局識別番号、設置場所住所、緯度、経度などの情報が検索可能に管理されている。
【００５０】
図７は、土産物ＤＢに格納されたデータの構造を示す説明図である。品名、説明、生鮮品か否か、冷凍食品か否か、乾物か否か、日持ち情報、在庫情報、取扱業者名、産地（緯度、経度）、決済手段などの情報が検索可能に管理されている。
【００５１】
図８は、土産物購入システムのフローの流れの概要を示す図である。旅行者は、旅行先の移動中又はホテルの部屋でくつろいでいるときに、このＩＣタグを見つけて土産物の注文をしたいと欲すると、自分の所持する携帯電話２を取り出して、それを操作し、ＩＣタグ読取要求を出す（ステップ１）。その携帯電話２の筐体内部にあるＩＣタグリーダ（ＩＣタグ読取部）または携帯電話の筐体外部にあって携帯電話とブルートゥース（登録商標）などの手段によりつながるＩＣタグリーダは、その読取要求を受け取るとＩＣタグ１に向けて電波を発信する（ステップ２）。ここで電波発信と表現したが、近接距離におけるやりとりであるので、電磁誘導、電磁結合、磁気結合などという呼び方が物理現象としては正しいかもしれないが、便宜上、電波のやりとりとして表現することにする。
【００５２】
無線ＩＣタグ１は、ＩＣタグ読取部からの電波を受けると（ステップ３）、ＩＣタグ内に格納してあるデータをＩＣタグ読取部に向けて発信する（ステップ４）。ＩＣタグ読取部はＩＣタグ内データを受信すると（ステップ５）、それを携帯電話２に向けて送信する（ステップ６）。
【００５３】
携帯電話２は、ＩＣタグ内データを受信すると（ステップ７）、それを表示する（ステップ８）。携帯電話の所持者にこの内容でよいことを確認させるためである。その判断を経てからサーバデータ要求送信をインターネット３００を介してサーバコンピュータ３に対して行う（ステップ９）。サーバコンピュータは、それを受信すると（ステップ１０）、ＩＣタグのデータ及び携帯電話のキャリア情報、機種情報などを読み込んで、その携帯電話に表示できるＷｅｂページを作成する（ステップ１１）。そしてそれをインターネット３００を介して携帯電話２に返す（ステップ１２）。
【００５４】
携帯電話２は、それを受信して（ステップ１３）、画面に表示する（ステップ１４）。その後、携帯電話２とサーバコンピュータ３との間のやりとりが必要な回数だけなされて、土産物の購入手続が進行する。
【産業上の利用可能性】
【００５５】
本発明のシステムは、旅行関連サービスの提供の用に供する物に付着させたＩＣタグに、旅行者が携帯電話でアクセスしてサーバにつなぐことを実現したものであるから、旅行中に旅行者に提供することが適切なさまざまなシステムに応用可能である。
例えば、旅行途中で旅行者が忘れ物をしたり、落し物をしたりする場合の遺失物の届出、捜索、その後の転送依頼などを実現するシステムにも適用できる。
また、旅行者が旅行途中で空いた時間に、映画を見る、美容室を利用するなどという場合に、予約したりチケット購入したりするシステムにも応用可能である。
【符号の説明】
【００５６】
１  無線ＩＣタグ
２  ＩＣタグ読取機能付き携帯電話
３  サーバコンピュータ
１１  無線ＩＣタグ部分
１２  ロゴ表示部分
２２  操作部
２２ａ  入力キー
２２ｂ  ポインタ
２３  表示部
３０  通信部
３１  ファイアウォール
３２  Ｗｅｂサーバ
３３  メールサーバ
３４  無線ＩＣタグ位置探索装置
３５  携帯電話基地局探索装置
３６  土産物紹介装置
３７  土産物注文受付装置
３８  決済処理装置
３９  配送処理装置
４１  タグ位置ＤＢ
４２  基地局ＤＢ
４３  土産物ＤＢ
１００  列車
１０１  観光案内
２００  ホテル
２０１  宿泊案内
３００  コンピュータネットワーク
３０１  携帯電話基地局
【図１】
0003149593.tif 000003
【図２】
0003149593.tif 000004
【図３】
0003149593.tif 000005
【図４】
0003149593.tif 000006
【図５】
0003149593.tif 000007
【図６】
0003149593.tif 000008
【図７】
0003149593.tif 000009
【図８】
0003149593.tif 000010